Podtech/llm-jp-corpus-v4-ja_patent huggingface dataset:
(57)【要約】      （修正有）【課題】長年使用したり、長年にわたり使用しても、あるいは保存しても封止不良が生じることなく、製品品質が高いとともに製造コストが比較的安い注射器用シリンジを提供する。【解決手段】中空円筒状のシリンダー１の中へ先端が円板状のスライド・ピストン２を挿入してなる注射器用シリンジにおいて、スライド・ピストンの自由端近くが自由端に向かうにつれて外径が大きくなるとともに肉厚が薄くなる、樹脂製、柔軟樹脂製あるいは柔軟剤入り樹脂製の可変形部となっており、スライド・ピストンの可変形部がシリンダーの内側面に当接することを特徴とする注射器用シリンジである。【選択図】  図１
2007037827.tif 000002
【特許請求の範囲】
【請求項１】
中空円筒状のシリンダーの中へ先端が円板状のスライド・ピストンを挿入してなる注射器用シリンジにおいて、
スライド・ピストンの自由端近くが自由端に向かうにつれて外径が大きくなるとともに肉厚が薄くなる、樹脂製、柔軟樹脂製あるいは柔軟剤入り樹脂製の可変形部となっており、スライド・ピストンの可変形部がシリンダーの内側面に当接することを特徴とする注射器用シリンジ。
【請求項２】
可変形部の先端が円形である請求項１に記載の注射器用シリンジ。
【請求項３】
可変形部の先端が楕円形である請求項１に記載の注射器用シリンジ。
【請求項４】
中心軸のまわりに回転するのを防止する回転防止部がシリンダーの内側面に設けられている請求項１から３までのいずれか１つに記載の注射器用シリンジ。
【発明の詳細な説明】
【技術分野】
【０００１】
本発明は注射器用シリンジに関する。
【背景技術】
【０００２】
第１の従来技術
図２は従来の注射器用シリンジの正面断面図である。シリンダー１は中空円筒部１５の閉止端１４に注射針接続部１６を接続してなり、これらの部分は中心軸を共通にしている。スライド・ピストン２は円柱状の本体部２２と押圧操作部２３とが接続部２４を介して接続してなり、これらの部分も中心軸を共通にしている。そして、本体部２２の自由端にはゴム製円板２１が取り付けてある。
【０００３】
そして、ゴム製円板２１の円周縁２１ａは、シリンダー１の中空円筒部１５の内側面１１に密接しながら中心軸方向に移動し、閉止端１４の内面に当接するまで移動可能であり、逆方向については、シリンダー１の自由端１０から抜け出るまで移動可能である。
【０００４】
第２の従来技術
図３は従来の他の注射器用シリンジの正面断面図である。シリンダー１は第１の従来技術のシリンダーとほぼ同じである。スライド・ピストン２は細径の本体部２５の一端に円板状の封止部２６が一体に連続し、他端に押圧操作部２７が連続しており、樹脂製である。
【０００５】
スライド・ピストン２の封止部２６の円周側面２６ａがシリンダー１の中空円筒部１５の内側面１１に密接しながら中心軸方向に移動する。
【発明の開示】
【発明が解決しようとする課題】
【０００６】
第１の従来技術については、ゴム製円板２１を本体部２２の自由端に取り付ける組立工程が必要であり、製造コストが高くなるとともに組立不良が生じやすいという問題がある。また、ゴムは経年劣化しやすいので、長期保存すると、スライド・ピストンとシリンダーとの閉止不良等の製品品質不良が生じやすいという問題がある。
【０００７】
また、第２の従来技術については、シリンダーの肉厚が薄く、温度変化により内径が変化しやすいため、スライド・ピストンが安定してスライドするのが困難であり、閉止不良等が生じやすいという問題がある。
【０００８】
よって、本発明の目的は、長年使用したり、長年にわたり使用しても、あるいは保存しても封止不良が生じることなく、製品品質が高いとともに製造コストが比較的安い注射器用シリンジを提供することである。
【課題を解決するための手段】
【０００９】
上記目的は、請求項１に記載の本発明に係る注射器用シリンジ、すなわち、中空円筒状のシリンダーの中へ先端が円板状のスライド・ピストンを挿入してなる注射器用シリンジにおいて、スライド・ピストンの自由端近くが自由端に向かうにつれて外径が大きくなるとともに肉厚が薄くなる、樹脂製、柔軟樹脂製あるいは柔軟剤入り樹脂製の可変形部となっており、スライド・ピストンの可変形部がシリンダーの内側面に当接することを特徴とする注射器用シリンジによって、達成される。
【発明の効果】
【００１０】
本発明の注射器用シリンジにおいては、スライド・ピストンの自由端近くが自由端に向かうにつれて外径が大きくなるとともに肉厚が薄くなる可変形部となっているので、可変形部の先端近くが容易に自由に変形可能であり、シリンダーの内側面の形状に柔軟に対応して完全に密閉できるとともに、繰返し使用したり、長期間保存しても変形特性はほとんど劣化せず、密閉性能が維持される。
【００１１】
また、本発明の注射器用シリンジにおいては、自由端が樹脂、柔軟樹脂、あるいは柔軟剤入り樹脂でできているので、自由端の柔軟度、耐磨耗性を広範囲に設計することができ、密閉性と耐久性を注射器の使用目的に応じて調整することができる。
【発明を実施するための最良の形態】
【００１２】
以下、本発明の注射器用シリンジの実施形態について、添付図面を参照して、説明する。
【００１３】
図１は実施形態の注射器用シリンジの正面断面図である。
【００１４】
シリンダー１は、第１の従来技術や第２の従来技術とほぼ同じであるので、説明を省略する。
【００１５】
スライド・ピストン２の可変形部２８は、自由端近くが自由端に向かうにつれて外径が直線的に大きくなっており、外側面２８ａは円錐体側面形状となっており、肉厚は自由端に向かうにつれて薄くなっており、内側面２８ｂも円錐体側面形状となっている。可変形部２８の先端２８ｄは肉厚がほぼゼロである。また、可変形部２８の内底面２８ｃは平面状であり、中心軸に対しほぼ垂直である。
【００１６】
可変形部２８の先端２８ｄの形状は円形、楕円形であってもよい。また、先端２８ｄが縮経しやすいように、多少の切込み部や切欠き部を設けてもよい。
【００１７】
シリンダー１に対してスライド・ピストン２が共通の中心軸のまわりに回転しないように、シリンダー１の内側面１１に中心軸に平行な直線状突起を設けてもよい。
【図面の簡単な説明】
【００１８】
【図１】実施形態の注射器用シリンジの正面断面図である。
【図２】従来の注射器用シリンジの正面断面図である。
【図３】従来の他の注射器用シリンジの正面断面図である。
【符号の説明】
【００１９】
１      シリンダー
１０    自由端
１１    内側面
１４    閉止端
１５    中空円筒部
１６    注射針接続部
２      スライド・ピストン
２１    円板
２１ａ  円周縁
２２    本体部
２３    押圧操作部
２４    接続部
２５    本体部
２６    封止部
２６ａ  円周側面
２７    押圧操作部
２８    可変形部
２８ａ  外側面
２８ｂ  内側面
２８ｃ  内底面
２８ｄ  先端
【図１】
2007037827.tif 000003
【図２】
2007037827.tif 000004
【図３】
2007037827.tif 000005
(57)【要約】【課題】コンブ類においてその含有成分であるフコイダンに着目し、このフコイダンの含有量が最大になる時期に収穫し、乾燥、粉砕し粉末状等の素材に製造した際に最もフコイダンの量を多く残存できる加工温度や加工サイズによる製法により、コンブ類に含有するフコイダンを最大限に含む素材を製造すること。【解決手段】コンブ類に含有するフコイダンの量が最大になる時期を解明すると同時に、乾燥させ粉砕し製造された素材に残存するフコイダンの量が最大になる粉砕温度と粉砕粒径について分析・検討した。その結果、コンブ類の成長過程とフコイダンの含有量は比例していないことを解明し、また、粉砕粒径も微細であればある程良いわけでもないし、例えば、粉砕粒径が同じであっても、粉砕温度によって残存するフコイダンの量に差が生じる事が判明した。これにより、最も最適な収穫時期と粉砕製法を見い出し、本発明を完成した。【特許請求の範囲】
【請求項１】
海藻類に含有する成分のうち必要とする成分の含有量が最大になる時期をみきわめ収穫し、必要とする成分を保持できる適温粉砕方法により、製造することを特徴とする海藻類の必要とする成分の含有比率の高い素材の製造方法。
【請求項２】
請求項１に記載する方法による成分を原料とする素材。
【発明の詳細な説明】
【技術分野】
【０００１】  本発明は、海藻類に含有する成分を製造する方法に関する。詳しくは、コンブ類に含有するフコイダンの製造方法とこれを原料とする素材としての利用に関するものである。
【背景技術】
【０００２】  海藻類は、その含有成分に着目され、近年、急速に研究が進み、粉状・顆粒・エキス等に加工され、医薬品、健康食品や健康補助食品の素材として広く利用されている。また、乾燥させた状態で製品として売買され家庭の食材としても、古くから食されている。【０００３】  従来の海藻類の食品素材には、コンブ類の葉状体を乾燥させた状態で利用する方法があったが、乾燥した根コンブの粉末を利用する方法として、乾燥した根コンブの粉末と乾燥したワカメの粉末と乾燥したもずくの粉末のうちの１種類以上を含むことを特徴とする健康補助食品に関する発明も記載されている（例えば、特許文献１参照）。
また、養殖コンブ仮根部を原料とする食品素材に関することが記載されているものもある（例えば、特許文献２参照）。【０００４】
【特許文献１】特開２００２−３００８６０号広報
【特許文献２】特許登録３２２５９２３号
【発明の開示】
【発明が解決しようとする課題】
【０００５】  以上に述べた従来の海藻類を利用する方法では、コンブ類のそれぞれ部位に含まれる成分に着目し、着目した成分の含有量が高い部位を利用して、食品素材を提供することを特徴としているが、その着目した成分が何時の時期に収穫されたコンブ類に最も多く含有されているのか、また、粉状等の素材に加工する時に着目した成分が、最も多く残存する加工温度や加工サイズについては明確にされていない。【０００６】  本発明は、コンブ類においてその含有成分であるフコイダンに着目し、このフコイダンの含有量が最大になる時期に収穫し、乾燥、粉砕し粉末状等の素材に製造した際に最もフコイダンの量を多く残存できる加工温度や加工サイズによる製法により、コンブ類に含有するフコイダンを最大限に含む素材を製造することを課題とする。
【課題を解決するための手段】
【０００７】  以上の課題を解決するために、本発明者は、コンブ類の幼体から実入りする収穫時期までの間のフコイダン含有量と、乾燥した後の粉砕時における粉砕温度と粉砕粒径に着目し、コンブ類に含有するフコイダンの量が最大になる時期を解明すると同時に、乾燥させ粉砕し製造された素材に残存するフコイダンの量が最大になる粉砕温度と粉砕粒径について分析・検討した。その結果、コンブ類の成長過程とフコイダンの含有量は比例していないことを解明し、また、粉砕粒径も微細であればある程良いわけでもないし、例えば、粉砕粒径が同じであっても、粉砕温度によって残存するフコイダンの量に差が生じる事が判明した。これにより、最も最適な収穫時期と粉砕製法を見い出し、本発明を完成した。【０００８】  すなわち、本発明は、コンブ類に含有するフコイダンの量が最大になる時期に収穫し、乾燥させ、粉砕した後の素材に含有するフコイダンの量が最も多く残存する製法を用いるものである。
【発明の効果】
【０００９】  上述したように本発明の海藻類に含有するフコイダンを最大限に製造する製法は、フコイダンの含有量が極めて多い素材を製造するとともに、効率の良いフコイダン製造を可能にしたことで製造にかかるコストの削減も可能にした。
【発明を実施するための最良の形態】
【００１０】  以下、本発明の実施の形態を詳細に説明する。【００１１】  本発明を適用し、フコイダンの含有量が最大になる時期に収穫し、乾燥させたガゴメコンブ１００ｇフコイダンの残存量が最も多くなる粉砕製法を用いて粉砕し得られた収量は９０ｇであった。【００１２】  本発明に適用する海藻類は、コンブ類、モズク類が好ましい。特に、幼体を養成綱に取付け成長させたガゴメコンブが好ましいが、自生しているコンブ類、養殖したコンブ類であっても良い。また、用いるコンブ類の部位は限定しない。【００１３】  本発明を適用し、製造する素材の形状は、フコイダンの作用を考慮すると均一した粉状が好ましいが、製品の形態により、粒状、顆粒等でも良いし、粉砕しないで乾燥させたままでも良い。【００１４】  本発明を適用し製造した原料を素材として利用する方法は、特に制限はないが、フコイダンの作用を最大限に利用できる温度のお湯やスープに加えたりして食して良いし、麺類等を製造する際に、添加しても良い。また、ふりかけのように御飯や食材等に直接ふりかける等して用いても良い。【００１５】  本発明は、フコイダンに限らず、アルギン酸等海藻類に含まれる成分であれば、どの成分に着目して適用しても良い。
(57)【要約】【課題】乾燥味噌を料理に使用すると何度でも同じ味を作り出すことが出来、無駄がなくなり長期保存ができるし、災害時の必需品であり清潔感もある。【解決手段】何度も味見をしなくてはいけない味噌使用料理が解決できる。【特許請求の範囲】
【請求項１】
（１）ドライ乾燥、冷風乾燥などにより味噌を乾燥させる。乾燥された味噌を圧縮などしてカレールーのように作る方法と粉末状にして袋などに入れる。味付けされた味噌と味付けされていない味噌の２種類の味噌を作る。
【発明の詳細な説明】
【技術分野】
【０００１】本発明は、味噌を乾燥して粉末状にする方法とカレールーのように圧縮して固めるものが目的です。
【背景技術】
【０００２】
【発明の開示】
【発明が解決しようとする課題】
【０００３】従来の市販されている味噌は水分が多く含まれているので、不衛生であり料理する際にも分量が分からないので、汁の量に対し適量を入れてもその時、その時の味が違ってくる。
味噌を取り出す場合にも何かを使用して取り出さなければならないし、味噌の中で雑菌などが入り込んだり空気に触れる部分は変色したり料用出来なくなったりする。それにビニールに入っているため最後まで出し切ったようであっても、残量がかなり多くあり無駄がある。
【課題を解決するための手段】
【０００４】必要な人数分を袋入れやパック固めしてあるので、必要人数分取り出して料理する事が出来る
【発明の効果】
【０００５】味噌を乾燥することにより軽量化されコンパクトになり、何より災害時に一番必要とされます。
【発明を実施するための最良の形態】
【・・・・】
【実施例】
【・・・・】
【・・・・】
【産業上の利用可能性】
【・・・・】
(57)【要約】      （修正有）【課題】黒色七味唐辛子の辛味と風味を損なわずアイスクリームに混入させることを目的とする、黒色七味唐辛子入りアイスクリームの製造方法の提供。【解決手段】生クリームに脱脂粉乳、バター、砂糖、香料、安定剤、乳化剤等を添加混合してなるアイスクリーム原料混合物を、冷却し、撹拌し、凍結させてアイスクリームを製造する工程において、黒色七味唐辛子成分を添加混合することを特徴とする黒色七味唐辛子入りアイスクリームの製造方法。【選択図】なし【特許請求の範囲】
【請求項１】
黒色七味唐辛子の辛味と風味を損なわずアイスクリームに混入させることを目的とする、黒色七味唐辛子入りアイスクリームの製造方法。
【発明の詳細な説明】
【発明の開示】
【発明の詳細な説明】
【技術分野】
【０００１】  本発明は黒色七味唐辛子の辛味と風味を損なわずアイスクリームに混入させることを目的とする、黒色七味唐辛子入りアイスクリームの製造方法に関するものである。
【従来の技術及び発明が解決しようとする課題】
【０００２】従来、人工的に着色したり、人工的に辛味を添加したりして製造されたアイスクリームが提供されている。しかしながら、黒色七味唐辛子の辛味と風味を有するアイスクリームはいまだ提供されていない。
【課題を解決するための手段】
【０００３】本発明のアイスクリーム及びその製造方法は、下記構成のものである。
生クリームに脱脂粉乳、バター、砂糖、香料、安定剤、乳化剤等を添加混合してなるアイスクリーム原料混合物を、冷却し、撹拌し、凍結させてアイスクリームを製造する工程において、黒色七味唐辛子成分を添加混合することを特徴とする黒色七味唐辛子入りアイスクリームの製造方法。
【発明の効果】
【０００４】  本発明は、殺菌及び防虫効果を有する黒色七味唐辛子が添加されたものであるため、一般のものよりもさらに長期間安全に保存可能なアイスクリーム製品となる。また甘さの中に適度な辛味がマッチし、独特の爽快感のある味覚が得られる。唐辛子成分によるダイエット効果も期待できる。
【実施例】
【０００５】黒色七味唐辛子入りアイスクリーム１ｋｇの製造方法について解説する。
脱脂粉乳液（７９．３６ｇ）を５分間煮沸殺菌後、砂糖（６０．５ｇ）、無塩バター（６．８ｇ）、生クリーム・植物性油脂・安定剤・香料・乳化剤等を混合した乳製品（１３６．５ｇ）を混合する（Ａ液）。充分攪拌した後、適量を抽出し、それに黒色七味唐辛子（３．１ｇ）を混入し、乳化するまでよく混ぜる（Ｂ液）。Ａ液、Ｂ液どちらも冷却し、摂氏５度になった時点で混ぜ合わせ、双方が充分攪拌されたことを目視及び味覚により確認してから凍結させる。
(57)【要約】【課題】ふなずしの原材料となる天然のニゴロブナが絶滅に近くなり市場への安定供給ができなくなったので養殖を事業化し、生産していくことを課題とした。【解決手段】水田を造成し、野池をつくり、人工管理した飼育方法でニゴロブナを養殖し解決した。【特許請求の範囲】
【請求項１】
水田を造成し、野池をつくり、人工管理した飼育方法で、ニゴロブナを養殖する方法。
【発明の詳細な説明】
【発明の詳細な説明】
【技術分野】
【０００１】この発明は水田を造成し、野池をつくり、人工管理した飼育方法でニゴロブナを養殖する方法である。
【背景技術】
【０００２】従来は天然のものを捕獲するしかなかった。
【発明が解決しようとする課題】
【０００３】ふなずしの原材料となる天然のニゴロブナが絶滅に近くなり市場への安定供給ができなくなったので、養殖を事業化し、生産していくことを課題として研究した。
【課題を解決するための手段】
【０００４】請求項１の方法で養殖し、野池の面積を拡大していけばニゴロブナの安定供給ができ、ふなずしの伝統食文化を守っていける。
【発明実施の形態】
【０００５】水田の土を移動し、造成する方法なので、天然に近い状態の管理養殖ができる。
【発明の効果】
【０００６】農地の有効活用にもなり、農業の活性化にもつながり、農家の収益も増える。
(57)【要約】【課題】従来の天然飲料は清涼飲料水の形状で、缶や瓶、ペットボトルに収納されている。家庭で煎じる場合は、長時間の作業、衛生面、品質の均一化、長期間の保存に問題があった。又、商品化されている天然茶は開栓・開封した場合に品質維持の関係で保存ができなかった。更に飲料水形状のため大きく、重くて携帯に不便であった。【解決手段】漢方の原材料を３種類以上配合し、抽出した天然成分からなる濃縮茶のため、漢方の薬能を個人個人の体質や体調に合わせて、１倍から５０倍まで希釈し飲用可能。更に、高濃度の濃縮茶なので、常温での保存ができ、１包に１０ｃｃの少量なので、濃縮液を入れた収納包も小さく、容易に携帯できて、時・場所・機会を選ばずに水代わりに飲用できる簡便性を実現した。【選択図】図１
2007037515.tif 000002
【特許請求の範囲】
【請求項１】
天然の漢方材料として、甘草、クコシ、ケンポナシ、ナツメ、ウコギ、カッコン、カワラタケ、チコリー、ヨモギの中から３種類以上を用途、効能に応じて選び、配合し煎じて抽出した天然有効成分からなることを特徴とする濃縮茶。
【請求項２】
請求項１記載の濃縮茶において、
甘味、香味を調製する為に適量のリンゴ濃縮液、ナシ濃縮液、ビタミンＣを添加することを特徴とする濃縮茶
【請求項３】
請求項１記載の濃縮茶において、
上記濃縮茶は１倍から５０倍の間で、漢方の薬能が個人個人の体質に合うように水道水、浄水器で濾過した水、アルカリイオン水、ミネラルウォーター等の飲用適の水で希釈して飲用できることを特徴とする濃縮茶。
【請求項４】
請求項１記載の濃縮茶において、
洋酒、焼酎等に飲用適の水で希釈した状態で、水代わりに入れて飲用できることを特徴とする濃縮茶。
【請求項５】
請求項１記載の濃縮茶の製造方法。
請求項１の原材料に飲用適の天然水を、濾過フィルターで濾過した精製水を加えながら、一定の加温条件下で天然成分を抽出し、低温で濃縮液に加工し、リンゴ濃縮液、ナシ濃縮液、ビタミンＣを加え、一定の加温条件下で混合することを特徴とする製造方法。
【請求項６】
請求項１記載の濃縮茶の包装形状。
濃縮茶を収納する包装包は長方形で、上下左右の各辺は糊付されていて袋の形状となっている。この包装袋の中に殺菌・密閉されて収納されている濃縮茶を飲用し易いように開封用の切込み線表示が、包装袋表面の左端上部から任意の角度を持った斜線が対向辺まで印刷されていることを特徴とする包装袋。
【請求項７】
請求項６記載の包装包は任意角度を持った斜線に沿って包装袋の上部を切落すと、濃縮茶が入っている包装袋上部の左角もしくは右角が、濃縮茶を注ぐ容器の形状に併せて注ぎ易いように選択できる注ぎ口となることを特徴とする包装包。
【発明の詳細な説明】
【技術分野】
【０００１】本発明は健康維持を薬能効果のある天然茶で体全体のバランスをとることに関する。
【背景技術】
【０００２】例えば、各家庭で伝来されている原材料を経験から得た配合量で数回分を煎じ、飲料水状態にして保存し、食事時に飲用していた。【０００３】手作業でガスコンロ等を使い、原材料に水を加え、弱火で半日程煮詰め天然成分を抽出保存。この方法は１回の作業で僅かな量しか加工出来ないために、必要量を数回、数日かけて作業する必要があった。【０００４】既に商品化されている漢方原材料を使った天然茶は、濃縮茶でなく清涼飲料水の形状で缶や瓶あるいはペットボトルに収納されている。この形状は開栓・開封した場合に品質維持の関係で長時間の保存ができなかった。更に飲料水形状のために容器も大きく、重いために携帯には不便であった。
【発明の開示】
【発明が解決しようとする課題】
【０００５】以上述べた従来の方法では、長時間の作業、衛生面、品質の均一化、原材料からの医薬成分の混入など、問題があった。
更に飲料水の状態では、長期間の保存や携帯に不便であった。【０００６】本発明は、このような従来方法での加工が有していた問題を解決しようとするものであり、薬能効果のある原材料の選別、品質の均一化、品質保存期限が１年以上、簡便性、薬事法などの成分規格や製造基準との適正化を図ることを目的とするものである。
【課題を解決するための手段】
【０００７】人の健康は、バランスがとれた調和の上に成り立っているとする漢方の基本的な考えで多数ある漢方原材料の中から、数年間にわたって原材料の組合せと配合比をかえて試作、評価を繰返して、原材料を選定したものである。【０００８】品質の均一化と長期間の保存、時・場所・環境を選ばずに水がわりに飲用し易い簡便性を実現するために、原材料から抽出した天然成分を濃縮液としたものである。【０００９】濃縮茶は、高濃度に濃縮されているので個人個人の体質・体調に合うように１倍から５０倍までの任意な倍数に希釈ができる。【００１０】原材料からの天然成分抽出は、精製水を加えながら一定の温度で一定の時間をかけて１次抽出、更に２次抽出を行ない、原材料の総量と近似した抽出液を確保することができる。【００１１】抽出液をマイクロ濾過フィルタで濾過し、低温で減圧、濃縮して、甘味を調製した濃縮液を製造する。【００１２】濃縮液に甘味、香気を調製するために適量のリンゴ濃縮液、ナシ濃縮液、ビタミンＣを加え、十分に混合した後に、包装包に一定量で密封し、殺菌して濃縮茶を加工する。
【発明の効果】
【００１３】上述したように本発明の濃縮茶は、品質の均一化、常温での長期間の保存、携帯し易い軽くて小さい包装包と、いつでもどこでも原液又は希釈して水代わりに飲用できる簡便性を提供できる。【００１４】また、大切な天然資源の活用効率を１次抽出と２次抽出の製造方法としたために、天然資源から極限まで成分を抽出するので、資源の節約を図ることができる。
【発明の実施するための最良の形態】
【００１５】以下、本発明の実施の形態を図１〜図３に基づいて説明する。
【００１６】図１のケーシング１は矩形の袋形状で、濃縮液を１０ｃｃ入れたあとに密封されている。開封用の切込み線表示２はケーシング１の左端上部３から２５°から３０°の任意角度をもった斜線で対向辺４まで表示されている。
【００１７】開封用の切込み線表示２に沿って鋏などで開口部５を切落すと、注ぎ口６ａもしくは注ぎ口６ｂが使用できる構造となっている。
【００１８】図２の対向辺４を軽く抑えると、注ぎ口６ａが開き、濃縮茶をコップや瓶などに注ぐことができる。
【００１９】図３の例では濃縮茶をコップや瓶、或いはペットボトルなどに注ぐ場合、コップのような広い口や、瓶のように小さい口の形状に併せて注ぎ口６ａもしくは注ぎ口６ｂを選びケーシング１の角度を変えることで、こぼすことなく容易に濃縮茶を注ぐことができる。
【図面の簡単な説明】
【００２０】
【図１】  本発明の実施形態を示す濃縮茶を収納する包装袋の正面図
【図２】  同包装袋の斜視図
【図３】  同包装袋の使用方法の側面図
【符号の説明】
【００２１】１    ケーシング
２    開封用の切込み線表示
３    ケーシングの左端上部
４    対向辺
５    開口部
６ａ  注ぎ口
６ｂ  注ぎ口
【図１】
2007037515.tif 000003
【図２】
2007037515.tif 000004
【図３】
2007037515.tif 000005
(57)【要約】【課題】最近のペットブームによって、歩道や公園などあらゆる場所において糞が散乱し社会問題となっており、犬などの散歩時に糞の収納袋などを持ち歩き、地上に落下した糞を収納する姿はよく見かける光景であるが、砂場以外の場所、例えばアスファルト上やコンクリート上に落下した糞は綺麗にふき取る事ができず、悪臭を放つばかりでなく公衆衛生上好ましいものではなかった。【解決手段】特に犬などペット類の糞を地上に落下する以前に収納できるよう、スーパーなどのレジ袋をそのまま利用した糞収納袋が簡単に着脱できる突起を施した一対のアームと、その一対のアームが水平に開閉できるように摺動装置を組み合わせ、把握部内に収納するよう構成した。【選択図】  図５
2007037502.tif 000002
【特許請求の範囲】
【請求項１】
板材にフックと切り欠き部を設けてなる一対のアームと摺動装置を組み合わせて把握部内に組み込み、一対のアームにスーパーのレジ袋などを取り付け、自由に開閉できるようにした糞受け器。
【発明の詳細な説明】
【技術分野】
【０００１】
この発明は、特に犬などペット類の糞を地上に落下する以前に収納するもので、２枚の開閉アームと摺動装置を組み合わせ、把握部内に収納した糞受け器に関する。
【背景技術】
【０００２】
最近のペットブームによって、歩道や公園などあらゆる場所において糞が散乱し社会問題となっている。
【特許文献１】特開２００４−２４２５０
【特許文献２】実用新案公開  平６−７５１５０
【発明の開示】
【発明が解決しようとする課題】
【０００３】
従来、犬などの散歩時に糞の収納袋などを持ち歩き、地上に落下した糞を収納する姿はよく見かける光景であるが、砂場以外の場所、例えばアスファルト上やコンクリート上に落下した糞は綺麗にふき取る事ができず、悪臭を放つばかりでなく公衆衛生上好ましいものではない。
【課題を解決するための手段】
【０００４】
本発明は、前記課題の解決手段として、特に犬などペット類の糞を地上に落下する以前に収納できるよう、スーパーなどのレジ袋をそのまま利用した糞収納袋が簡単に着脱できる突起を施した一対のアームと、その一対のアームが水平に開閉できるように摺動装置を組み合わせ、把握部内に収納するよう構成した。
【発明の効果】
【０００５】
本発明の糞受け器は、上述のように構成したことで、犬などが排便行為に及んだ時点において容易にお尻にかざす事ができるため、糞が地上に落下する以前に糞収納袋に収納する事ができる。
【０００６】
また、犬などペット類の散歩には比較的人込みの少ない静かな場所が好まれる為、特に女性の場合は散歩中に暴漢・通り魔に襲われる危険性があるが、本糞受け器は護身用の武器ともなり得る、これは決して暴力を容認するものではなく威嚇用には効果がある。
【発明を実施するための最良の形態】
【０００７】
スーパーのレジ袋等が簡単に着脱できるように突起を施した一対の開閉アームと、該一対の開閉アームを開閉させる摺動装置と、前記一対の開閉アームの支軸を固定する２枚の板材からなる把握部とを組み合わせて構成した。
【実施例１】
【０００８】
以下、本発明の実施の一形態を図面に基づいて詳説する。
【０００９】
図１は、糞受け器の要部を示した平面図と正面図で、アーム１、２が閉じた状態を示し、図２は、同要部のアーム１、２を開いた状態を表し、図３は把握部を示した斜視図である。
【００１０】
詳説すると、アーム１、２には糞を収納するレジ袋等を取り付けるためのフック３、４、５、６と、該アーム１、２を開閉させる摺動軸２４の収まりと摺動を容易にさせる切り欠き７、８、さらに開閉の支軸３３、３３を通過させる穴９、９を設けている。
【００１１】
また、摺動装置２０は、開いた状態のアーム１、２を閉じる目的のガイド面２６、２７を設けるために摺動板２１をコの字型に成型し、長穴２２と２３を設け、開閉軸２４と操作レバー２５とを固定した構成にしている
【００１２】
把握部３０は図３に示す通り、支軸３３、３３と固定軸３４、３４、を設けた把握下部板３１と、穴３５、３５、３６、３６、と長方形の穴３７を設けた把握上部板３２とで構成し、把握下部板３１と把握上部板３２は固定軸３４、３４によって接合され、支軸３３、３３も固定軸を兼用している。
【００１３】
さらに詳説すると、一端が支軸３３、３３で支点となったアーム１、２は、操作レバー２５の前後動により摺動軸２４がアーム１、２の中間を摺動する事で開閉を行うようにしたもので、アーム１、２は切り欠き部７、８の中間を摺動する摺動軸２４の後退動作によって開き、前進動作によってコの字型に成型された摺動板２１のガイド面２６、２７によって閉じるようにしている。
【図面の簡単な説明】
【００１４】
【図１】要部が閉じた状態を示した説明図である。
【図２】要部が開いた状態を示した説明図である。
【図３】把握部の説明図である。
【図４】摺動部の説明図である。
【図５】糞受け器を表す図である。
【符号の説明】
【００１５】
１    アーム
２    アーム
３    フック
４    フック
５    フック
６    フック
７    切り欠き部
８    切り欠き部
９    穴
２０  摺動装置
２１  摺動板
２２  長穴
２３  長穴
２４  摺動軸
２５  操作レバー
２６  ガイド面
２７  ガイド面
３０  把握部
３１  把握下部板３１
３２  把握上部板３２
３３  支軸
３４  固定軸
３５  穴
３６  穴
３７  長方形の穴
【図１】
2007037502.tif 000003
【図２】
2007037502.tif 000004
【図３】
2007037502.tif 000005
【図４】
2007037502.tif 000006
【図５】
2007037502.tif 000007
(57)【要約】【課題】    従来、マジックテープで、物同士の連結又は接合する場合、双方に組み込まれる形でマジックテープが固定されるため、物にマジックテープを組み込む特殊加工を要する。そのため製造工程が煩雑になり、コスト面にも影響を与えている。  その他マジックテープ取り付けのためには、物に不可逆的な加工施さねばならず、時には本体に損傷を与える。  また、固定されることによる、物とマジックテープとの一体化は、事実上マジックテープの損傷又は老化そのものが、被物体の寿命を決定し非合理的であった。【解決手段】  被物体へのマジックテープの取り付け、固定方法に、着脱自由、かつ被物体へ不可逆的な損傷を何ら与えることのないクリップ機能を組み込んだ。マジックテープ機能の着脱が自由なので、機能を必要とする場合は、クリップを取り付け、不必要な時は取り外し、機能を消失させることができる。  また、自由に取り外せることにより、マジックテープの寿命に左右されることなく、本体が本来持つ寿命を全うすることができる。【選択図】  図２
2007037963.tif 000002
【特許請求の範囲】
【請求項１】
ゼムピン、平型クリップ、凹凸ボタン付ロック式クリップ、マグネット式クリップなど、物を挟む機能を持つクリップ状の物に、マジックテープ（登録商標、以下省略）機能を付加した器具。
【請求項２】
マジックテープ機能は、クリップの挟む機能部分の内側両面、内側片面、外側両面、外側片面、内外側両側面、及び１片に付加されている。
【請求項３】
装着したマジックテープは、固着及び着脱可能なものである。
【発明の詳細な説明】
【技術分野】
【０００１】  この発明は、物を挟む機能を持つクリップ状の物に、マジックテープ（登録商標、以下省略）機能を付加した、マジックファスナークリップに関するものである。
【背景技術】
【０００２】  従来、マジックテープで、物同士を連結又は接合する場合、マジックテープは双方の物体に組み込まれる形で固着されていた。
【発明の開示】
【発明が解決しようとする課題】
【０００３】  解決しようとする問題点は、連結又は接合する物双方のマジックテープ機能は、組み込まれる形で固着しているため、物にマジックテープを組み込む特殊加工、またはマジックテープ取り付けのため、穴を開ける、縫い付ける、接着剤を使用するなど、物に不可逆的な損傷を与えるものであった。
また、特殊加工により製造工程が煩雑になり、コスト面にも影響を与えている。
その上、固定されることによる、物とマジックテープとの一体化は、事実上マジックテープの損傷又は老化そのものが、被物体の寿命を決定し非合理的であった。
本発明は、以上のような欠点をなくすための考案である。
【課題を解決するための手段】
【０００４】  被物体へのマジックテープの取り付け、固定方法に、着脱自由、かつ被物体へ不可逆的な損傷を何ら与えることのないクリップ機能を組み込んだ。
本発明は、以上の機能を取り入れたマジックファスナークリップである。
【発明の効果】
【０００５】  被物体は、従来あるままの状態で、何ら損傷を与えられることなく、マジックテープ機能を必要に応じ、装着したり外せたりできるので、今まで及ばなかった領域の連結が可能となり、従来持つマジックテープ機能の活用範囲を拡大でき、利用域が広がる。また、被物体に取り付けられたマジックテープは、従来のように終生固定でなくることにより、マジックテープの寿命に左右されることなく、本体が本来持つ寿命をまっとうすることができる。
【発明を実施するための最良形態】
【０００６】  以下、本発明を実施するための最良の形態について例を挙げて説明する。従来の挟む機能を持つクリップに、いずれもマジックテープ機能を付加したものである。
【実施例１】
【０００７】  図１の実施例は、本発明の平型クリップタイプのマジックファスナークリップの斜視図である。クリップ内側両面、又は内側片面に、マジックテープを装着させたものである。
【実施例２】
【０００８】  図２の実施例は、本発明の平型クリップタイプのマジックファスナークリップの斜視図である。クリップ外側両面、又は外側片面に、マジックテープを装着させたものである。
【実施例３】
【０００９】  図３の実施例は、本発明の平型クリップタイプのマジックファスナークリップの斜視図である。クリップ内外側両面、マジックテープを装着させたものである。【００１０】  図４の実施例は、本発明の平型クリップタイプのマジックファスナークリップの斜視図である。クリップの一片にマジックテープを装着させたものである。
【実施例５】
【００１１】  図５の実施例は、本発明の凹凸ボタン付ロック式クリップのマジックファスナークリップの斜視図である。クリップの外側にマジックテープを装着させたものである。
【実施例６】
【００１２】  図６の実施例は、本発明のマグネット式クリップのマジックファスナークリップの斜視図である。クリップの外側にマジックテープを装着させたものである。
【図面の簡単な説明】
【００１３】
【図１】  本発明の平型クリップタイプでクリップ内側両面、又は内側片面に、マジックテープを装着させたマジックファスナークリップの斜視図である。（実施例１）
【図２】  本発明の平型クリップタイプでクリップ外側両面、又は外側片面に、マジックテープを装着させたマジックファスナークリップの斜視図である。（実施例２）
【図３】  本発明の平型クリップタイプでクリップ内外側両面、マジックテープを装着させたマジックファスナークリップの斜視図である。（実施例３）
【図４】  本発明の平型クリップタイプでクリップの一片にマジックテープを装着させたマジックファスナークリップの斜視図である。（実施例４）
【図５】  本発明の凹凸ボタン付ロック式クリップでクリップの外側にマジックテープを装着させたマジックファスナークリップの斜視図である。（実施例５）
【図６】  本発明のマグネット式クリップでクリップの外側にマジックテープを装着させたマジックファスナークリップの斜視図である。（実施例６）
【符号の説明】
【００１４】    １  平型クリップ
２  凹凸ボタン付ロック式クリップ
３  マグネット式クリップ
【図１】
2007037963.tif 000003
【図２】
2007037963.tif 000004
【図３】
2007037963.tif 000005
【図４】
2007037963.tif 000006
【図５】
2007037963.tif 000007
【図６】
2007037963.tif 000008
(57)【要約】【課題】        喫煙のデメリットである煙の摂取をなくし、メリットになりうるニコチンの摂取を容易にすること。【解決手段】    タバコの主要成分であるニコチンを携帯型注射器で注射することにより解決する。【選択図】      なし【特許請求の範囲】
【請求項１】
注射負荷の少ない携帯型注射器などを利用してカートリッジにニコチン類を充噴して注射する、紙巻たばこなどによる喫煙から置換するニコチン摂取システム。
。
【発明の詳細な説明】
【技術分野】
【０００１】    本発明はニコチン摂取に関するものであり、紙巻たばこなどによる喫煙でニコチン摂取する代わりに、既に存在する低負荷の携帯型注射器でニコチンを摂取することでニコチン以外の有害物質を摂取することを防ぎ、煙が出ないのでいつどこで摂取しても他人に副流煙などの煙で負荷をかけることや、吸い殻などのゴミが出ることを防止するシステムである。
【背景技術】
【０００２】  従来から一型糖尿病患者がインスリン摂取の為に使用している低負荷の注射器に携帯ペン型注射器がある。この例として特許文献１や、非特許文献１がある。またニコチンやニコチン誘導体は、葉タバコからの抽出や化学合成したものを低価格で取得出来る。
【特許文献１】  特開平９−９９０７９
【非特許文献１】  清野弘明・朝倉俊成著  「ペン型インスリン注射のすべて」医歯薬出版株式会社  ２０００年２月２０日発行  Ｐ１８〜Ｐ１４０
【発明の開示】
【発明が解決しようとする課題】
【０００３】  近年たばこの害が言われるようになり、公共の禁煙指定場所ではタバコは喫煙出来なくなってきている。なぜなら現在世界に広く普及している有害な煙の出る紙巻きたばこなどは喫煙者本人だけでなく周囲にいる他人にも大きな害を有しているからである。そのため喫煙者、非喫煙者双方に健康生活上のメリットのあるシステムを構築することを課題とする。また喫煙や受動喫煙によるとみられる疾患は医療保険を圧迫しているので，これを改善する狙いもある。
【課題を解決する為の手段】
【０００４】    この課題を解決する為の請求項１の発明は、喫煙の主な理由となる主要物質のニコチン類のみを抽出又は合成して低負荷の携帯型注射器で摂取することで喫煙の害の主要な大部分を取り除くことが出来る。
【０００５】    またニコチンを摂取した際に消費されうる栄養素を配合することで、より健康的なニ
【発明の効果】
【０００６】    本発明により喫煙者は発ガン性物質などの有害物質を摂取することなく自由に喫煙と類似の効果を享受することが出来、喫煙による大部分の有害性から解放される。非喫煙者は副流煙などの有害物質を摂取せずに済み、喫煙者、非喫煙者双方にとってメリットがあり喫煙の矛盾を解消する最良の方法である。そのうえ吸い殻が出ない。
【０００７】    またニコチンを摂取することで症状が軽減される病気を持つ患者（例えばパーキンソン病）にとっても有益である。この例として非特許文献２がある。
【非特許文献２】  喫煙と神経疾患・喫煙化学研究財団１０年の歩み  ｈｔｔｐ：／／ｗｗｗ．ｓｒｆ．ｏｒ．ｊｐ／ｈｉｓｔｏｌｙ／ｆｒａｍｅｓ／ｈｉｓｔｏｙ−ｆｒａｍｅｌｌ．ｈｔｍｌ
【０００８】    また、ニコチンやその類似物質の混合体にそれらを消費する時に同時に消費される物質を混合することでより体に良いニコチン摂取システムの構築が可能になる。
【０００９】    また、本発明から想起されうる製品としてニコチンガムやタブレット、鼻腔スプレー等があるが、本発明と根本的に異なる点としてそれらの製品が禁煙挑戦者を対象としているのに対し、本発明は喫煙者、非喫煙者全体に貢献出来る発明であると言える。
【００１０】    上記の理由により医療保険も改善することが出来る。
【発明を実施するための最良の形態】
【００１１】    本発明に使用する注射器は一型糖尿病患者の用いる携帯型注射器とそのカートリッジを適宜わずかに改造することで流用出来ると考えられる。【００１２】    本発明に使用するニコチンは葉タバコから抽出したり、ニコチン誘導体なども化学的に合成したものを用いることで安価に取得出来る。ニコチン誘導体の例として特許文献２がある。
【特許文献２】  特表平０８−５１０４６７
【産業上の利用可能性】
【００１３】    本発明に係わる携帯型注射器とニコチン類及び、混合する物質は工業的に量産することが可能であるため、産業上の利用可能性を有する。
(57)【要約】【課題】商品陳列用の商品掛け具の線材フックによる接触、衝突等による事故を最小限にするため安全性を二重に設けた取付金具を提供する事を目的とする。【解決手段】商品掛け具本体（１）の取付金具（４）、鉄製のフック本体（２）、樹脂製のフック先端部（３）を設け、鉄製のフック本体（２）を取付金具（４）の穴部に挿入し、その鉄製のフック本体（２）の先端部に樹脂製のフック先端部（３）を挿入する事を特徴とし、人体に樹脂製のフック先端部が突き刺さり、眼球、顔、頭部の損傷を最小限にし、さらに鉄製のフック本体が後方に移動することにより重大な傷害事故を極端に防止でき、又、商品掛け具本体は環境面を考慮してメッキを取りやめ焼付け塗装、錆びない材料を用い、そして、フックの先端部に蓄光塗料、残光塗料、蛍光塗料を塗布または含有させ薄暗い場所でも光る安全を考慮したことを特徴とする取付金具。【選択図】図１
2007037929.tif 000002
【特許請求の範囲】
【請求項１】
商品陳列用の商品掛け具本体が鉄製線材のフック本体とフック先端部からなる取付金具。
【請求項２】
商品陳列用の商品掛け具本体においてフック本体は鉄製線材からなり、フック先端部は軟質・硬質の樹脂からなる請求項１記載の取付金具。
【請求項３】
商品陳列用の商品掛け具本体が接触、転倒時フック先端部が樹脂のため左右・上下に振れ衝撃が吸収される請求項１〜２記載の取付金具。
【請求項４】
商品陳列用の商品掛け具本体に強く接触又は突つ込んださい、フック本体が後方に移動することにより、衝撃を軽減できる請求項１〜３の取付金具。
【請求項５】
商品陳列用の商品掛け具本体において、接触・衝突又は突っ込んだとき、まずフック先端部の樹脂で人体の上半身の衝撃を和らげ、傷を最小限にし、又鉄製線材のフック本体が後方に瞬時に移動し、突っ込んだ時の衝撃を更に吸収する請求項１〜４記載の取付金具。
【請求項６】
商品陳列用の商品掛け具において、安全性を二重に設けたことを特徴とする請求項１〜５記載の取付金具。
【請求項７】
商品陳列用の鉄製の商品掛け具において、環境面を考慮し、メッキ以外の焼付け塗装する又は錆びない材料の請求項１〜６記載の取付金具。
【請求項８】
フック先端部に蓄光塗料、残光塗料，蛍光塗料を塗布又は含有した請求項１〜７記載の取付金具。
【発明の詳細な説明】
【技術分野】
【０００１】  本発明は、商品陳列用の線材フック先端部の安全に関するものである。
【背景分野】
【０００２】  商品陳列用で商品を吊り下げて展示販売するシングルフック、ダブルフックの先端部が人体への接触時、特に幼児や老人が転倒時に顔、頭部、眼球等に危険であり重大な障害が予想されるため、安全性という問題でいろいろな方法が検討されている。
例えば、特開２００３−３２５２７８公報、特開２０００−１９７５４２公報等がある
【発明の開示】
【発明が解決しようとする課題】
【０００３】  それには次のような問題点があった。
（イ）商品陳列フックの先端部の危険を保護する最適な方法がない。
（ロ）先端部は幼児、老人には特に危険であり。転倒時に万一先端部に接触したさい          先端部が樹脂で最小限の損傷ですむ構造のフックはない。
（ハ）商品陳列フックの本体部は鉄製の線材で、先端部が樹脂製の商品陳列用フック          はない。
（ニ）先端部に接触、転倒時に先端部が樹脂製のため左右・上下に曲がり、線材フッ          ク全体が後方に移動するような商品陳列フックはない。
（ホ）接触、転倒時最小限の損傷ですむように設計された商品陳列フックはない。
（ヘ）樹脂製の先端部に蓄光塗料、残光塗料を塗布又は含有した商品陳列用フックは          ない。
（ト）従来の鉄製の商品陳列フックは殆どメッキであるが、環境面を考慮したメッキ          以外のものはない。
（チ）商品陳列フックはメッキ以外の焼付け塗装、及びその他を使用した物はない。
本発明は、以上の問題点を解決するためのものである。
【課題を解決するための手段】
【０００４】  商品陳列用の商品掛け具（１）において、鉄製の線材のフック本体（２）を設け、その先端部（３）は軟質又は硬質の樹脂製を設け、フック本体を取付金具（４）の穴に挿入し、そのフック本体（２）の先端部に樹脂製の先端部（３）をはめ込み式で挿入し一本のフックとして使用できる、又フック本体に環境に悪いメッキを使用しないで焼付け塗装又は他の方法を設け、又樹脂の先端部に蓄光塗料、残光塗料、蛍光塗料を塗布又は含有し、薄暗い店舗内で光ることを特徴とする取付金具である。
【発明の効果】
【０００５】商品陳列フックの商品掛け具に二重に安全のための装置がなされたため、接触、追突の事故の際、極端に損傷が軽微あり、安全性が高い効果がある、又環境面を考慮してメッキ以外の焼付け塗装、又は錆びない材料を使用し、先端部に蛍光塗料を塗布、あるいは含有し、薄暗い場所、真っ暗な夜中でも光り危険を少なくした商品掛け具用の取付金具である。
【発明を実施するためお最良の形態】
【０００６】  以下、本発明の実施の形態を説明する。
（イ）鉄製線材のフック本体（１）を設ける。
（ロ）フック本体（２）の樹脂製の先端部（３）を射出成形機で成形する。
（ハ）フック本体を組み込む取付金具（４）を設ける。
（ニ）取付金具（４）にフック本体（２）を組み込む。
（ホ）組み込んだフック本体に樹脂製のフック先端部（３）を差込み一体とする。
（ヘ）鉄製線材のフック本体（１）は焼付け塗装又は錆びない材料を使用する。
（ト）樹脂フック先端部には夜でも光る、蓄光塗料、残光塗料、蛍光塗料を塗布又は          含有する。
本発明は、以上の構成よりなっている。
これを使用するときは、幼児、子供、足のおぼつかない老人がつまずいて接触、追突した際、まず樹脂製のフック先端部が左右、上下に曲がり、追突時の衝撃を和らげ、更に取付金具に挿入してある鉄製のフック本体が後方に移動して、衝撃を更に和らげ、最小限の損傷ですむように構成されたものである。
【図面の簡単な説明】
【０００７】
【図１】本発明の正面図である
【図２】本発明の平面図である
【図３】本発明の右側面図である
【図４】本発明のフックが接触時に後方に移動した状態の正面図
【図５】本発明のフック本体の正面図
【図６】本発明のフック本体の先端側の一部の側面図
【図７】本発明のフック先端部の一部断面を示す正面図
【図８】本発明のフック先端部の挿入部の側面図
【図９】本発明の取付金具の正面図
【図１０】本発明の取付金具の側面図
【符号の説明】
【０００８】    １  商品掛け具本体
２  フック本体
３  フック先端部
４  取付金具
【図１】
2007037929.tif 000003
【図２】
2007037929.tif 000004
【図３】
2007037929.tif 000005
【図４】
2007037929.tif 000006
【図５】
2007037929.tif 000007
【図６】
2007037929.tif 000008
【図７】
2007037929.tif 000009
【図８】
2007037929.tif 000010
【図９】
2007037929.tif 000011
【図１０】
2007037929.tif 000012
(57)【要約】      （修正有）【課題】支持材の内側面と留め棒の表面との間にベルトを挟んで係止させて、簡単にベルトの長さの調節を行うことのできる金具を提供する。【解決手段】支持材１の両端に、輪形部分２を設け、支持材の側面の対称の位置に設けた、略長方形の切り欠き部４に貫通させて上部及び下部ベルト６，７を重ねて挿入し、更に、留め棒８は、輪形部分を通してベルトの内側面に沿って嵌め込まれ、留め棒の先端に取り付けた座金及びピン１０によって止められて設けられ、このことにより、両ベルトが支持材の内側面と留め棒の表面との間に挟まれて係止され、ベルトの長さの調節を行えるようにする。【選択図】図１
2007037941.tif 000002
【特許請求の範囲】
【請求項１】
支持材（１）の両端に、輪形部分（２）、（３）を設け、該支持材（１）の側面の対称の位置に設けた、略長方形の切り欠き部（４）、（５）に貫通させて上部ベルト（６）、下部ベルト（７）を重ねて挿入し、更に、留め棒（８）は、輪形部分（２）を通して、上部ベルト（６）と下部ベルト（７）の内側面に沿って嵌め込まれ、輪形部分（３）を通過させて、留め棒（８）の先端に取り付けた座金（９）及びピン（１０）によって、止められて設けられ、このことにより、上部ベルト（６）及び下部ベルト（７）が，切り欠き部（４）、（５））及び支持材（１）の内側面と留め棒（８）の表面との間に挟まれて係止され、下部ベルト（７）の長さの調節を行えるように構成されたベルト調節金具。
【請求項２】
支持材（１）の一端にのみ輪形部分（２）を設け、他端にまで延長して切り欠き部（４）、（５）を設け、更に、留め棒（８）の先端部にキャップ（１１）とピン（１０）を取り付けた請求項１記載のベルト調節金具。
【発明の詳細な説明】
【技術分野】
【０００１】  本発明は、ベルトの長さを簡単に調節できる金具に関するものである。
【背景技術】
【０００２】  従来、ベルトの調節金具としては、比較的大型のものが多いように思われる。参考文献として（実願昭５３−１０９７４６号）を参照した。
【発明が解決しようとする課題】
【０００３】  本発明は、前述のような問題点に鑑みて成されたものであり、支持材の内側面と留め棒の表面との間にベルトを挟んで係止させて、簡単にベルトの長さの調節を行うことのできる金具を提供しようとするものである。
【課題を解決するための手段】
【０００４】  上記の目的を達成するために、支持材の両端に、輪形部分を設け、該支持材の側面の対称の位置に設けた、略長方形の切り欠き部に貫通させて上部及び下部ベルトを重ねて挿入し、更に、留め棒は、輪形部分を通してベルトの内側面に沿って嵌め込まれ、留め棒の先端に取り付けた座金及びピンによって止められて設けられ、このことにより、両ベルトが支持材の内側面と留め棒の表面との間に挟まれて係止され、ベルトの長さの調節を行えるようにして成るものである。
【０００５】  留め棒は、重ねられた上部及び下部ベルトの内側に、きつめに嵌め込めるようにし着脱可能とすると良い。
【発明を実施するための最良の形態】
【０００６】  発明の実施の形態を実施例にもとづき図面を参照して説明する。【０００７】  図１に示される実施例では、全体が小型化されている。【０００８】  図２に示される実施例では、支持材１の両端に各々輪形部分２、３が設けられ上部ベルト６、下部ベルト７の内側面に留め棒８が嵌め込まれ、留め棒８の先端部に座金９及びピン１０が取り付けられている。【０００９】  図３に示される実施例では、支持材１の一端に輪形部分２が設けられ、他端に至るまで切り欠き部５が設けられている。留め棒８の先端部にキャップ１１とピン１０が取り付けられている。【００１０】  図４において、上部ベルト６、下部ベルト７が切り欠き部４、５及び支持材１の内側面と留め棒８の表面との間に挟まれて係止されている。
【発明の効果】
【００１１】  本発明は、以上説明したように構成されているので、以下に記載されているような効果を得ることが出来る。
【００１２】  調節しようとする長さに合わせて、切り欠き部４、５に、上部ベルト６と下部ベルト７を重ねて挿入し、その内側面に留め棒８を嵌め込んで両ベルト６、７を確実に係止することが出来る。
【図面の簡単な説明】
【００１３】
【図１】  ベルト調節金具の実施例を示す斜視図である。
【図２】  ベルト調節金具の実施例を示す要部縦断面図である。
【図３】  ベルト調節金具の実施例を示す要部縦断面図である。
【図４】  ベルト調節金具の実施例を示す横断面図である。
【符号の説明】
【００１４】  １      支持材
２、３  輪形部分
４、５  切り欠き部
６      上部ベルト
７      下部ベルト
８      留め棒
９      座金
１０    ピン
１１    キャップ
１２    連結具
１３    リベット
【図１】
2007037941.tif 000003
【図２】
2007037941.tif 000004
【図３】
2007037941.tif 000005
【図４】
2007037941.tif 000006